(57)【要約】【課題】配電盤内の空気を、より短い時間でむらなく均一に加熱して結露を確実に防止でき、しかも電力消費が少なくて済む結露防止用のヒーターユニットを提供する。【解決手段】ヒーター９と、ケース１０と、ケース１０内に空気を送給する送風ファン１１とを備えている。ケース１０は前後壁１３・１４と、左右壁１５・１６と、上壁１７および底壁１８とで中空角箱状に形成する。ケース１０の左壁１５に給気口２２を開口し、底壁１８および左壁１５以外の各壁１３・１４・１６・１７に吹出口２３を形成する。ケース１０の内面に、吹出口２３を開閉するシャッター４０を設ける。送風ファン１１から送給される空気でケース１０内の空気を撹拌し混合しながらヒーター９で加熱して、生成された加熱空気を一群の吹出口２３から複数方向へ同時に吹き出し供給する。盤内の状況に応じてシャッター４０を開閉して、過熱空気の吹き出し方向と吹き出し量を調整する。【選択図】図１
2010273459.tif 000002
【特許請求の範囲】
【請求項１】
ヒーター（９）と、ヒーター（９）を収容するケース（１０）と、ケース（１０）内に空気を送給する送風ファン（１１）とを備えている結露防止用のヒーターユニットであって、
ケース（１０）の周壁には、送風ファン（１１）が配置される給気口（２２）と、加熱された空気を吹き出す吹出口（２３）の一群とがそれぞれ開口されており、
ケース（１０）内の空気をヒーター（９）で加熱しながら、送風ファン（１１）から送給される空気で、ケース（１０）内の空気を撹拌し混合し、生成された加熱空気を一群の吹出口（２３）から吹き出し供給することを特徴とするヒーターユニット。
【請求項２】
ケース（１０）に吹出口（２３）を開閉するシャッター（１２）が設けてある請求項１に記載のヒーターユニット。
【請求項３】
ケース（１０）が四角箱状に形成されており、
吹出口（２３）を備えたケース（１０）の周壁のそれぞれに、独立して開閉できるシャッター（１２）が配置してある請求項２に記載のヒーターユニット。
【請求項４】
送風ファン（１１）の送風量と全ての吹出口（２３）の合計面積とを調整して、送風ファン（１１）が駆動されるときのケース（１０）内の圧力が、ケース外辺部の気圧より大きくなるように設定されており、
ケース（１０）を構成するケース周壁のひとつに給気口（２２）が開口されて、その外面に送風ファン（１１）が固定されており、
送風ファン（１１）と正対するケース周壁（１６）に設けた吹出口（２３）の合計面積が、他のケース周壁（１３・１４・１７）の個々の壁面に形成される吹出口（２３）の合計面積に比べて小さく設定してある請求項２または３に記載の結露防止用のヒーターユニット。
【請求項５】
ケース（１０）が、それぞれ対向する前後壁（１３・１４）と、左右壁（１５・１６）と、上壁（１７）、および底壁（１８）とで中空角箱状に形成されており、
ヒーター（９）が、底壁（１８）で絶縁台（２８）を介して支持されるヒーター本体（２５）と、放熱フィン（２６）とで構成されており、
ケース（１０）の左右壁（１５・１６）のいずれか一方の壁面に給気口（２２）が開口され、他方の壁面に吹出口（２３）が形成してある請求項３または４に記載の結露防止用のヒーターユニット。
【発明の詳細な説明】
【技術分野】
【０００１】
本発明は、配電盤や分電盤などの内部に設置される結露防止用のヒーターユニットに関する。
【背景技術】
【０００２】
この種のヒーターユニットは、例えば特許文献１に公知である。そこでは、ヒーターで加熱した盤内の空気を自然対流によって循環させ、配電盤の内部温度を高めて相対湿度を下げることにより、剥き出しになっている機器類の接続端子部等に置ける結露を防止している。具体的には、ヒーターユニットは、横臥Ｕ字状のシーズヒーターと、その外周を囲むケースとで構成している。シーズヒーターの真上に位置するケース壁面には一群の放熱穴が開口してあり、残りの壁面には多数の通気穴が開口してある。シーズヒーターを発熱させると、ケース内の空気が加熱されて自然対流によって上昇し、放熱穴を介してケース外へ送出される。同時に、ケースの周辺空気が通気穴を通ってケース内へ流入する。ケース外へ送出された加熱空気は、自然対流して盤内の空気温度を高める。
【０００３】
本発明のヒーターユニットは、ヒーターで加熱した空気を送風ファンで強制的に送出するが、この種のヒーターユニットは特許文献２にみることができる。そこでは、角箱状のケースの周壁のひとつに開口部を設け、この開口部と正対する状態でヒーターと軸流型のファンをケース内に配置してヒーターユニットとしている。ファンから送出される空気はヒーターで加熱されて、開口部からケース外部へ送出される。
【先行技術文献】
【特許文献】
【０００４】
【特許文献１】特開２００３−７９０１４号公報（段落番号００１３、図２）
【特許文献２】実願昭６４−８０号（実開平２−９１４０２号）のマイクロフィルム（第８頁第６〜８行、第２図）
【発明の概要】
【発明が解決しようとする課題】
【０００５】
特許文献１のヒーターユニットは、加熱空気の自然対流作用で配電盤の内部を加熱するので、空気の循環速度が小さく、配電盤内の空気温度を高めるのに多くの時間が掛かり、電力消費が大きくなるのを避けられない。また、配電盤の内部の上下で温度にばらつきがあり、盤内部の相対湿度を均一化しにくい不具合もある。
【０００６】
その点特許文献２のヒーターユニットでは、加熱した空気を送風ファンで強制的に送出するので、自然対流作用で配電盤の内部空気を加熱する場合に比べて、配電盤内の空気の循環を促進して、より短い時間で相対湿度を上昇できるであろう。しかし、角箱状のケースの内部にヒーターおよびファンを収容し、ケースの周壁１箇所に設けた開口部から加熱空気を送出するので、加熱前の新規な空気は開口部から取り込む以外にない。そのため、新規な空気と加熱空気とが開口部で緩衝し合うのを避けられず、加熱空気を効率よく送出できない。また、加熱空気の吹き出し方向が一方向に限られるので、加熱空気がケースの吹き出し領域側に偏在しやすく、配電盤の内部温度にばらつきを生じやすい。
【０００７】
本発明の目的は、配電盤内の空気をより短い時間でむらなく均一に加熱して結露を確実に防止でき、しかも電力消費が少なくて済むヒーターユニットを提供することにある。
本発明の目的は、ヒーターユニットの周辺に配置される機器類の状況に応じて、加熱空気の送出方向や送出量を変更して、機器類が不必要に加熱されるのを防止でき、あるいは必要個所を重点的に加熱できるヒーターユニットを提供することにある。
本発明の目的は、加熱空気を効率よく送出でき、しかも加熱空気をユニットの周囲全体に噴出し供給して、周辺の広い範囲の空気を効果的に加熱できるヒーターユニットを提供することにある。
【課題を解決するための手段】
【０００８】
本発明に係る結露防止用のヒーターユニットは、ヒーター９と、ヒーター９を収容するケース１０と、ケース１０内に空気を送給する送風ファン１１とを備えている。ケース１０の周壁には、送風ファン１１が配置される１個の給気口２２と、加熱された空気を吹き出す吹出口２３の一群とがそれぞれ開口してある。以て、ケース１０内の空気をヒーター９で加熱しながら、送風ファン１１から送給される空気でケース１０内の空気を撹拌し混合し、生成された加熱空気を一群の吹出口２３から複数方向へ吹き出し供給することを特徴とする。
【０００９】
ケース１０に吹出口２３を開閉するシャッター１２を設ける。
【００１０】
ケース１０は四角箱状に形成する。吹出口２３を備えたケース１０の周壁のそれぞれに、独立して開閉できるシャッター１２を配置する。
【００１１】
ヒーターユニットは、送風ファン１１の送風量と全ての吹出口２３の合計面積とを適合させて、送風ファン１１が駆動されるときのケース１０内の圧力が、ケース外辺部の気圧より大きくなるように設定する。ケース１０を構成するケース周壁のひとつに給気口２２を開口し、その外面に送風ファン１１を固定する。送風ファン１１と正対するケース周壁１６に設けた吹出口２３の合計面積を、他のケース周壁１３・１４・１７の個々の壁面に形成される吹出口２３の合計面積に比べて小さく設定する。
【００１２】
ケース１０は、それぞれ対向する前後壁１３・１４と、左右壁１５・１６と、上壁１７、および底壁１８とで中空角箱状に形成する。ヒーター９は、底壁１８で絶縁台２８を介して支持されるヒーター本体２５と、放熱フィン２６とで構成する。ケース１０の左右壁１５・１６のいずれか一方の壁面に給気口２２を開口し、他方の壁面に吹出口２３を形成する。
【発明の効果】
【００１３】
本発明においては、ヒーター９と、ヒーター９を収容するケース１０と、送風ファン１１などでヒーターユニットを構成し、ケース１０の周壁に、送風ファン１１が配置される１個の給気口２２と、吹出口２３の一群とを設けるようにした。ヒーターユニットを起動した状態では、ケース１０内の空気がヒーター９で加熱され、さらに送風ファン１１から送給される空気によって撹拌し混合されるので、一群の吹出口２３から吹き出される加熱空気の温度を概ね均等なものとすることができる。また、生成された加熱空気を一群の吹出口２３から複数方向へ吹き出し供給して盤内の空気を加熱するので、ヒーターユニットの外辺部の広い範囲の空気をより短い時間で効果的に高めて結露を防ぐことができる。また、加熱空気の自然対流作用で配電盤の内部を加熱する従来のヒーターユニットに比べて、より短い時間で加熱空気を盤内に行き渡らせることができるので、その分だけヒーターユニットの稼働時間を短縮して電力消費を削減できる。
【００１４】
ケース１０に吹出口２３を開閉するシャッター１２を設けると、一部の吹出口２３をシャッター１２で塞ぐことにより、ヒーターユニットから吹き出される加熱空気の吹き出し方向を変更できる。したがって、盤内において結露を防止したい個所へ向かって加熱空気を送給できる。また、盤内における電気機器４の配置によっては、ヒーターユニットから吹き出される加熱空気が電気機器４や壁面に直接吹き付けられるおそれがある。こうした場合には、該当する吹出口２３をシャッター４０で塞いで加熱空気の吹き出しを規制することにより、電気機器４が過熱状態に陥り、あるいは壁面が不必要に加熱される防止して、盤内の空気を効果的に加熱することができる。
【００１５】
四角箱状に形成したケース１０の周壁のそれぞれに、独立して開閉できるシャッター１２を配置すると、各周壁に設けた吹出口２３をシャッター１２で開閉して、加熱空気の送出方向や送出量をさらに多様に変更できる。したがって、盤内の必要個所を重点的に加熱してさらに効果的に結露を防止し、あるいは、盤内の機器類が不必要に加熱されるのを防止できる。
【００１６】
送風ファン１１が駆動されるときのケース１０内の圧力を、ケース外辺部の気圧より大きくなるように設定すると、ケース１０内で生成された加熱空気を、各吹出口２３から勢いよく吹き出して、周辺の広い範囲の空気を効果的に加熱できる。また、送風ファン１１と正対するケース周壁１６に設けた吹出口２３の合計面積を、他のケース周壁１３・１４・１７の個々の壁面に形成される吹出口２３の合計面積に比べて小さく設定することにより、送風ファン１１から送給された低温の空気が、先のケース周壁１６の吹出口２３から抜け出るのを抑止できる。さらにケース周壁１６と、それ以外のケース周壁１３・１４・１７に設けた吹出口２３から吹き出される加熱空気の量を概ね均等にして、盤内をむらなく均等に加熱できる。
【００１７】
ケース１０を中空角箱状に形成し、底壁１８で絶縁台２８を介して支持されるヒーター本体２５と、放熱フィン２６とでヒーター９を構成すると、放熱フィン２６が付加された分だけ、ケース１０内における空気とヒーター９との接触機会を増やして、加熱空気をさらに効率よく生成できる。また、ケース１０の左右壁１５・１６のいずれか一方の壁面に給気口２２を開口し、他方の壁面に吹出口２３を形成するので、送風ファン１１から送給される低温の空気が他方の壁面の吹出口２３へ到達するまでの間にヒーター９で加熱することができる。したがって、低温の空気が、他方の壁面に設けた吹出口２３から抜け出るのをさらに確実に抑止できる。
【図面の簡単な説明】
【００１８】
【図１】本発明に係るヒーターユニットを示す図３におけるＢ−Ｂ線断面図である。
【図２】ヒーターユニットの適用例を示す配電盤の正面図である。
【図３】図２におけるＡ−Ａ線断面図である。
【図４】ケースの分解斜視図である。
【図５】図１におけるＣ−Ｃ線断面図である。
【図６】図１におけるＤ−Ｄ線断面図である。
【発明を実施するための形態】
【００１９】
本発明に係る結露防止用のヒーターユニットの実施例を図１ないし図６に基づき説明する。ヒーターユニットは、図２に示すような配電盤１の内部に設置されて、盤内に配置した電気機器類の接続端子部や接点等における結露を防ぐ。配電盤１は、前面が開口する筐体２と、筐体２の前面開口を揺動開閉する扉３とで縦長角箱状に形成してあり、その内部に設けたパネル５に一群の電気機器４が組み付けてある。配電盤１の内部でパネル５の下方の床面に本発明のヒーターユニットを設置する。
【００２０】
図３に示すようにヒーターユニットは、ヒーター９と、ヒーター９を収容するケース１０と、ケース１０内に空気を送給する送風ファン１１と、ケース１０の吹出口２３を開閉するシャッター４０などで構成する。ケース１０は薄鋼板を素材にして形成されるベース１０ａと、べース１０ａに対して着脱できるカバー１０ｂとで中空角箱状に構成する。図４に示すようにべース１０ａは、左右壁１５・１６と底壁１８とで構成してあり、左右壁１５・１６の前後縁にはカバー１０ｂを締結するための締結壁１９が折り曲げ形成され、底壁１８の前後には締結座２０が張り出してある。カバー１０ｂは、前後壁１３・１４と上壁１７とで構成してある。ケース１０の左右壁１５・１６のうち、左壁１５（図４に向かって左側）の中央に、送風ファン１１を配置するための給気口２２が円形に開口してある。前後壁１３・１４および上壁１７の個々の壁面の面積は、左右壁１５・１６の個々の壁面の面積より大きく設定してある。
【００２１】
ケース１０は、ヒーター９の保護を行ないながら、送風ファン１１から送給される空気で、ケース１０内のヒーター９で加熱された空気を撹拌混合する混合容器として機能する。さらに、ヒーター９で加熱されて新規空気と混合された加熱空気をケース１０の前後面、上面、右側面へ向かって同時に吹き出し供給する分配容器として機能する。そのために、ケース１０の前後壁１３・１４と右壁１６と上壁１７の、各ケース周壁に多数個の吹出口２３を開口している。なお、加熱空気が床面側（設置面側）へ吹き出されるのを避けるために、底壁１８に吹出口２３は形成しない。先に説明したように、ケース１０の締結座２０は筐体２の床面等に締結固定される。
【００２２】
ケース１０内の加熱空気を、ケース外方の周囲四方へ向かって強制的に吹き出すために、送風ファン１１の送風量と全ての吹出口２３の合計面積とを調整して、送風ファン１１を駆動するときのケース１０内の圧力が、ケース外辺部の気圧より大きくなるようにしている。これにより、吹出口２３から吹き出される加熱空気はケース外方へ向かって勢いよく吹き出されて、ケース周辺の空気を効果的に温めることができる。
【００２３】
送風ファン１１でケース１０内へ送給された空気あるいは加熱空気が、送風ファン１１と対向する右壁１６に開口した吹出口２３から吹き出されてしまうと、加熱空気の温度を高めるのが困難となり、さらに前後壁１３・１４および上壁１７に開口した吹出口２３から吹き出される加熱空気量が極端に減ってしまう。こうした不具合を防いで、各ケース周壁１３・１４・１６・１７における加熱空気の吹き出し量を均一化するために、送風ファン１１と正対する右壁（ケース周壁）１６に設けた吹出口２３の合計面積を、他のケース周壁１３・１４・１７の個々の壁面に形成される吹出口２３の合計面積に比べて小さく設定している。
【００２４】
詳しくは、ケース１０の右壁１６に形成される吹出口２３の形成個数を６個に設定し、前後壁１３・１４に形成される吹出口２３の形成個数を８個に設定し、上壁１７に形成される吹出口２３の形成個数を９個に設定している。また、前後壁１３・１４においては、送風ファン１１にもっとも近接する吹出口２３上下方向の列において、上下方向中央に位置する吹出口２３を省略して、送風ファン１１の吸風面側へ加熱空気が吹き出されるのを防止している。因みに個々の吹出口２３の直径寸法は５ｍｍである。
【００２５】
ヒーター９は、ヒーター本体２５と、その外面に張り出し形成される一群の放熱フィン２６とを一体に備えており、ヒーター本体２５の両端がブラケット２７で支持してある。ブラケット２７は、底壁１８に固定した絶縁台２８で支持する。このように、ヒーター９を底壁１８の近傍で支持することにより、図５に示すようにヒーター９の全体を送風ファン１１で送給される空気の流れに接触させることができ、さらに、前後壁１３・１４や右壁１６で反転した空気の流れにヒーター９を接触させて、ケース１０内の空気を効果的に加熱できる。
【００２６】
図１に示すように送風ファン１１は、軸流ファン３０と、軸流ファン３０を回転駆動するモーター３１と、軸流ファン３０およびモーター３１を支持するファンケース３２とでユニットファン状に構成する。ファンケース３２は四角枠状に形成してあり、その内面に軸流ファン３０の回転周面を囲む導風面３３が丸筒状に形成してある。ファンケース３２の送風面（モーター側の開口）をケース１０に設けた給気口２２の周縁壁の外面にあてがい、その四隅に挿通したビスとナットとで、送風ファン１１をケース１０に締結固定することにより、送風ファン１１がケース１０と一体化してある。この状態の導風面３３は給気口２２と面一状に連続している。
【００２７】
吹出口２３を開閉して加熱空気の送出方向や送出量を変更するために、前後壁１３・１４と上壁１７および右壁１６のそれぞれの内面に、４個のシャッター４０を配置する。図４および図５に示すように、各シャッター４０は、四角形状の薄鋼板からなるシャッター本体４１と、シャッター本体４１をスライド操作する操作摘み４２とからなる。シャッター本体４１の板面の３個所には、吹出口２３を通気可能とするための開口４３が直線溝状に形成してある。シャッター本体４１は、前記の各壁１３・１４・１６・１７の内面に固定した一対のガイド片４４でスライド自在に案内支持してある。
【００２８】
図６に示すように、操作摘み４２にはねじ軸４５が一体に設けてあり、ねじ軸４５をスライド溝４６を介してシャッター本体４１のねじ穴４７にねじ込むことにより、シャッター本体４１と一体化してある。スライド溝４６は前記の各壁１３・１４・１６・１７に開口してある。ねじ軸４５を緩めた状態で、操作摘み４２をスライド溝４６の一端から他端へと変位操作することにより、吹出口２３をシャッター本体４１の板面で塞いだ状態（閉じ状態）と、開口４３が吹出口２３と重なる状態（通気状態）とに切り換えることができる。また、切り換え位置において操作摘み４２を締め込み操作することにより、シャッター本体４１を各壁１３・１４・１６・１７に密着固定できる。
【００２９】
以上のように構成したヒーターユニットは、湿度センサーと制御回路（いずれも図示していない）を併用して運転状態の制御を行なう。その場合には、湿度センサーから出力される検知信号を受けた制御回路は、盤内の加熱が必要であるか否かを判定して、結露が発生するのに先行してヒーターユニットを起動し、盤内を加熱する。さらに、盤内の湿度が目標値に達したらヒーターユニットの稼動を停止する。結露が発生しやすい時間帯を指定して、タイマーによってヒーターユニットを起動することもある。
【００３０】
ヒーターユニットを起動すると、吸い込み面側に臨む盤内空気が送風ファン１１でケース１０内へ強制的に送給され、ヒーター９によって加熱される。ケース１０の内部には送風ファン１１から送給された低温の空気と、ヒーター９で加熱された加熱空気とが存在するが、これらは送風ファン１１から送給された空気流によって撹拌し混合され、あるいはケース内面で反転した空気流によって撹拌される。したがって、吹出口２３から吹き出される加熱空気の温度に大きなばらつきはない。
【００３１】
全てのシャッター４０が通気状態に切換えてある場合には、加熱空気は前後壁１３・１４、上壁１７、および右壁１６に設けた各吹出口２３から均等に吹き出されて、ヒーターユニットの外辺部の広い範囲の空気温度を効果的に高めることができる。このとき、ケース１０の前後中央がパネル５の真下より後側に位置しているので、各吹出口２３から吹き出された加熱空気の大半はパネル５より後側の空間へ吹き出されて、パネル５の後面に露出する接続端子部や接点等における結露を防ぐ。加熱空気の一部はパネル５の前側の空間へ吹き出されて、電気機器４の前部表面における結露を防ぐ。各吹出口２３から吹き出された加熱空気は、周囲の低温空気を温めながら盤内の上方へと対流する。上記のように、加熱空気を強制的に吹き出し供給するヒーターユニットによれば、盤内の空気をより短い時間でむらなく均一に加熱して結露を確実に防止でき、小形で高容量のヒーターユニットとすることができる。また、従来の自然対流型のヒーターユニットに比べて、盤内を短時間で効果的に加熱できるので電力消費を削減できる。
【００３２】
盤内における電気機器４の配置によっては、ヒーターユニットから吹き出される加熱空気が電気機器４に吹き付けられて過熱状態に陥るおそれがある。こうした場合には、該当する吹出口２３に臨むシャッター４０を閉じ状態に切換えることにより、加熱空気の吹き出しを規制して、電気機器４の過熱を防ぐことができる。その場合には、ケース１０内の圧力が僅かに高まり、封口体で塞がれていない吹出口２３から吹き出される加熱空気量が僅かに増加する。また、結露を防ぎたい個所が集約される場合には、対応する位置の吹出口２３のみを通気状態にして、過熱空気を集中して供給することができる。必要があれば、シャッター４０を通気状態にしたうえで、１個ないし複数個の吹出口２３のみを、粘着テープや粘着シールなどの封口体で塞いで、加熱空気の吹き出しを局部的に規制することもできる。
【００３３】
上記の実施例では、配電盤１内の床面にヒーターユニットを設置したがその必要はなく、床面より高い位置にヒーターユニットを設置することができる。例えば、盤内に設けたラックや機器実装用のパネル５にヒーターユニットを装着して使用することができる。その場合には送風ファン１１の吸い込み面が床面を向き、あるいは上記の実施例と同様に横向きになるようにヒーターユニットを設置することができる。
【００３４】
ケース１０は直方体状に形成する必要はなく、ドーム状や円筒状など必要に応じて任意の立体形状に構成することができる。例えば、ケース１０の全体をかまぼこ型に形成して、トンネル断面状のケース周壁と、左右いずれか一側の側壁とに吹出口２３を開口し、残る側壁に送風ファン１１を装着することができる。実施例で説明したケース１０において、上壁１７の左右中央に給気口２２を開口して、その外面に送風ファン１１を装着することができる。その場合には、前後壁１３・１４および左右壁１５・１６に吹出口２３を開口して、ケース１０の前後、および左右へ加熱空気を吹き出し供給することができる。必要があれば、ケース１０に複数個の送風ファン１１を装着することができる。
【００３５】
シャッター４０は、前後壁１３・１４と上壁１７および右壁１６のそれぞれに設けた吹出口２３を同時に開閉する必要はなく、各壁１３・１４・１６・１７の吹出口２３の一部を開閉する形態で実施できる。例えば、上壁１７において送風ファン１１から最も遠い位置の３個の吹出口２３をシャッター４０で開閉する形態で実施できる。また、シャッター４０はスライド開閉する必要はなく、揺動開閉可能に構成することができる。個々の吹出口２３ごとにシャッター４０を設けて、必要な吹出口２３のみを通気状態にして、加熱空気を所定方向へ吹き出し送給することができる。シャッター４０はケース１０の外面に配置することができる。
【００３６】
ケース周壁に形成される吹出口２３の直径寸法は一様である必要はなく、送風ファン１１から遠ざかるに従い、吹出口２３の直径寸法を大きくすることができる。また、吹出口２３の配置パターンは直線列状である必要はなく、ランダムなパターンであってもよい。さらに、送風ファン１１から遠ざかるに従い、単位面積あたりの吹出口２３の配置個数を減らすことができる。
【００３７】
送風ファン１１はユニットファンである必要はなく、要は周辺空気をケース１０内へ送給できるファン構造であればよい。送風ファン１１の取り付け位置は、給気口２２の外面である必要はなく、その一部あるいは前部がケース１０の内部に収容してあってもよい。送風ファン１１は、軸流ファン以外に、遠心ファンを適用できる。
【符号の説明】
【００３８】
９  ヒーター
１０  ケース
１１  送風ファン
１３  前壁
１４  後壁
１５  左壁
１６  右壁
１７  上壁
２２  給気口
２３  吹出口
４０  シャッター
４１  シャッター本体
４２  操作摘み
【図１】
2010273459.tif 000003
【図２】
2010273459.tif 000004
【図３】
2010273459.tif 000005
【図４】
2010273459.tif 000006
【図５】
2010273459.tif 000007
【図６】
2010273459.tif 000008